(57)【要約】【目的】実際の無線伝搬環境に応じた位置／幅のサーチウィンドウを効率よく設定／更新可能なことを課題とする。【構成】自セルをカバーする遅延プロファイルデータより所定の有効パス▲１▼〜▲４▼を検出するステップと、前記有効パス間の平均間隔Ｉａｖｅを求め、該平均間隔で遅延プロファイルデータの全体を複数領域Ａ〜Ｏに分割するステップと、前記各領域につき遅延プロファイルデータの電力σＡ〜σ０を求め、該電力が所定閾値σｔｈを超えるもののうち最先σ１及び最遅延σ２の各領域Ｄ，Ｇを抽出するステップと、前記最先及び最遅延の各領域Ｄ，Ｇで囲まれる部分にサーチウィンドウ５０を設定するステップとを備える。【選択図】　　図１
2004080298.tif 000002
【特許請求の範囲】
【請求項１】
ＣＤＭＡセルラー方式における受信信号パスを検出するためのサーチウィンドウ制御方法であって、
自セルをカバーする遅延プロファイルデータより所定の有効パスを検出するステップと、
前記検出した有効パス間の平均間隔を求め、該平均間隔で前記遅延プロファイルデータの全体を複数領域に分割するステップと、
前記分割した各領域につき遅延プロファイルデータの電力を求め、該電力が所定閾値を超えるもののうち最先及び最遅延の各領域を抽出するステップと、
前記抽出した最先及び最遅延の各領域で囲まれる部分にサーチウィンドウを設定するステップとを備えることを特徴とするサーチウィンドウ制御方法。
【請求項２】
ＣＤＭＡセルラー方式における受信信号パスを検出するためのサーチウィンドウ制御方法であって、
自セルをカバーする遅延プロファイルデータより所定の有効パスを検出するステップと、
前記検出した有効パス中の最先及び最遅延又は最大の有効パスを抽出するステップと、
前記抽出した最先及び最遅延又は最大の有効パスのタイミング情報に基づきサーチウィンドウを設定するステップとを備えることを特徴とするサーチウィンドウ制御方法。
【請求項３】
前記検出した所定の有効パス間の平均間隔を求めるステップを更に備え、
前記サーチウィンドウを設定するステップは、前記抽出した最先及び最遅延の有効パスの前後に前記求めた平均間隔を加えたものをサーチウィンドウとすることを特徴とする請求項２に記載のサーチウィンドウ制御方法。
【請求項４】
ＣＤＭＡセルラー方式における受信信号パスを検出するためのサーチウィンドウ制御方法であって、
サーチウィンドウ内の遅延プロファイルデータより所定の有効パスを検出するステップと、
前記検出した有効パス中の最先及び最遅延又は最大の有効パスを抽出するステップと、
前記抽出した最先及び最遅延又は最大の有効パスのタイミング情報に基づきサーチウィンドウの位置及び又は幅を変更するステップとを備えることを特徴とするサーチウィンドウ制御方法。
【請求項５】
ＣＤＭＡセルラー方式における受信信号パスを検出するためのサーチウィンドウ制御方法であって、
自セルをカバーする遅延プロファイルデータに基づきサーチウィンドウを設定するステップと、
前記設定し又は後述の変更したサーチウィンドウ内の遅延プロファイルデータに基づき該サーチウィンドウの位置及び又は幅を変更するステップと、
前記サーチウィンドウの設定と変更の割合を移動局装置の相対速度及び又は同時処理チャネル数に応じて制御するステップとを備えることを特徴とするサーチウィンドウ制御方法。
【発明の詳細な説明】
【０００１】
【発明の属する技術分野】
本発明はサーチウィンドウ制御方法に関し、更に詳しくはＣＤＭＡセルラー方式における受信信号パスを検出するためのサーチウィンドウ制御方法に関する。ＣＤＭＡセルラー方式の下では、複数受信パスの信号をＲＡＫＥ合成することによりＳ／Ｎを改善することが行われる。
【０００２】
【従来の技術】
図１５は従来技術を説明する図で、図１５（Ａ）にＣＤＭＡセルラー方式の無線伝搬環境を示す。図において、１０は自セル（セル半径Ｒ）内の無線接続サービスを行う基地局（ＢＴＳ）、３０ａ，３０ｂはセル内に在圏する移動局（ＭＳ）である。
【０００３】
移動局３０ａは、例えば略停止しており、該移動局３０ａからの上り電波は、パス▲１▼を介して直接的に、及び建物等で反射するようなパス▲２▼，▲３▼を介して間接的に、基地局１０に到達する。一方、移動局３０ｂは、速度ｖで移動しており、該移動局３０ｂからの上り電波（直接波）は、基地局１０との間の相対速度ｖｒ（＝ｖ・ｃｏｓθ）に従って基地局１０に時々刻々と近づいている。
【０００４】
このような状況の下、基地局１０では、受信信号と移動局３０ａ用の逆拡散コードとの間の相関をタイミングをずらしながら取ることにより、セル半径分の遅延プロファイルデータ（相関電力）を求めると共に、高い相関（ピーク）が得られる各パス▲１▼〜▲３▼の受信信号をかき集めることで、所謂ＲＡＫＥ受信を行う。移動局３０ｂについても同様である。
【０００５】
図１５（Ｂ）はセル半径分の遅延プロファイルデータのグラフイメージを示す図で、横軸はパスタイミング（チップタイミング）、縦軸はパスレベル（相関電力）である。今、基地局１０がシステムの基準タイミングＴ０に受信（相関演算）を開始したとすると、同タイミングＴ０に基地局１０の付近で発射された電波は該タイミングＴ０の付近で基地局１０に受信され、また同タイミングＴ０にセル半径（境界）Ｒの付近で発射された電波は最後の方で基地局１０に受信される関係にある。この状態で、移動局３０ａからの上り電波は、中間のタイミングで基地局１０に受信されると共に、その内のパス▲１▼は直接波であるため、基地局１０には早く到達し、通常は、その振幅（電力）も相対的に大きい。これに対して、パス▲２▼，▲３▼は間接波であるため、基地局１０には遅れて到達し、その振幅も相対的に小さい。一方、移動局３０ｂは速度ｖで移動しているため、そのパスタイミングも相対速度ｖｒに従って時々刻々と移動する。
【０００６】
係る状況の下、従来より、基地局１０で得られる遅延プロファイルデータに対して比較的狭い幅ｗのサーチウィンドウ５０を設定することにより、ＲＡＫＥ受信に有用な受信信号パスを、該サーチウィンドウ５０内における少ないサーチ処理で検出することが行われる。
【０００７】
【発明が解決しようとする課題】
しかし、上記従来方式では、ウィンドウ幅ｗが固定であるために、実際の無線伝搬環境がウィンドウ幅ｗには反映されず、よって効率のよい、かつ信頼性の高い受信パスの検出を行えなかった。即ち、実際の無線伝搬環境に比べてウィンドウ幅ｗが広過ぎると、受信パスの余分なサーチ処理が必要となり、またウィンドウ幅ｗが狭過ぎると、有用な受信パスが欠落するおそれがあった。しかも、移動局３０の移動に伴い、無線伝搬状態も様々に変化するため、従来方式では、一貫して効率のよい、かつ信頼性の高い受信パスサーチを行うことが困難であった。
【０００８】
本発明は上記従来技術の問題点に鑑みなされたもので、その目的とする所は、実際の無線伝搬環境に応じた位置／幅のサーチウィンドウを効率よく設定／更新可能なサーチウィンドウ制御方法を提供することにある。
【０００９】
【課題を解決するための手段】
上記の課題は例えば図１（Ａ）の構成により解決される。即ち、本発明（１）のサーチウィンドウ制御方法は、ＣＤＭＡセルラー方式における受信信号パスを検出するためのサーチウィンドウ制御方法であって、自セルをカバーする遅延プロファイルデータより所定の有効パス▲１▼〜▲４▼を検出するステップと、前記検出した有効パス▲１▼〜▲４▼間の平均間隔Ｉａｖｅを求め、該平均間隔Ｉａｖｅで前記遅延プロファイルデータの全体を複数領域Ａ〜Ｏに分割するステップと、前記分割した各領域Ａ〜Ｏにつき遅延プロファイルデータの電力σＡ〜σ０を求め、該電力σＡ〜σ０が所定閾値σｔｈを超えるもののうち最先σ１及び最遅延σ２の各領域Ｄ，Ｇを抽出するステップと、前記抽出した最先及び最遅延の各領域Ｄ，Ｇで囲まれる部分にサーチウィンドウ５０を設定するステップとを備えるものである。
【００１０】
なお、上記自セルをカバーする遅延プロファイルデータとは、例えばセル半径分をカバーする遅延プロファイルデータを意味する。また所定の有効パスとは、セル半径分の遅延プロファイルデータにつき所定閾値Ｐｔｈを超えるような各パスレベル（相関電力）のうち、時系列（局所的）にピーク検出された各パスレベル▲１▼〜▲４▼を意味する。
【００１１】
本発明（１）のサーチウィンドウ制御方法は、コンピュータを使用した大小比較と四則演算とにより容易に実行できるため、実際の無線伝搬環境に応じた位置及び幅のサーチウィンドウを効率よく設定（初期化）可能である。また、一旦このようなサーチウィンドウを設定してしまうと、移動局が激しく移動しない限りは、その電波伝搬環境（例えば平均間隔Ｉａｖｅ等）も大きくは変化しないから、毎回同じ方法でサーチウィンドウを再設定する必要は無く、その後は、同じ領域の単位でサーチウィンドウの位置や幅を変更する簡単な処理で、受信パスの追跡制御が可能となる。
【００１２】
また上記の課題は例えば図１（Ｂ）の構成により解決される。即ち、本発明（２）のサーチウィンドウ制御方法は、ＣＤＭＡセルラー方式における受信信号パスを検出するためのサーチウィンドウ制御方法であって、自セルをカバーする遅延プロファイルデータより所定の有効パスを検出するステップと、前記検出した有効パス中の最先及び最遅延又は最大の有効パスＰ１，Ｐ２又はＰｍを抽出するステップと、前記抽出した最先及び最遅延又は最大の有効パスのタイミング情報Ｔ１，Ｔ２又はＴｍに基づきサーチウィンドウ５０を設定するステップとを備えるものである。
【００１３】
本発明（２）によれば、自セルをカバーする遅延プロファイルデータ中の特定の有効パスのタイミング情報に基づき、実際の無線伝搬環境に応じた位置／幅のサーチウィンドウ５０を過不足なく設定（初期化）可能となる。従って、サーチウィンドウ幅ｗが広すぎることによる受信パスの無駄なサーチ処理を省けると共に、サーチウィンドウ幅が狭すぎることによる有用な受信パスの欠落も防止できる。
【００１４】
好ましくは、本発明（３）では、上記本発明（２）において、例えば図７（Ｂ）に示す如く、前記検出した所定の有効パス間の平均間隔Ｉａｖｅを求めるステップを更に備え、前記サーチウィンドウを設定するステップは、前記抽出した最先及び最遅延の有効パスＰ１，Ｐ２の前後に前記求めた平均間隔Ｉａｖｅを加えたものをサーチウィンドウ５０とするものである。
【００１５】
従って、本発明（３）によれば、最先及び最遅延の有効パスＰ１，Ｐ２の前後に、実際の無線伝搬環境（一般に、直接波が届き易い環境下ではＩａｖｅが小さく、直接波が届き難い環境下ではＩａｖｅが大きい傾向にある）に応じた最適の余裕Ｉａｖｅを確保できる。
【００１６】
また本発明（４）のサーチウィンドウ制御方法は、例えば図１１，図１２に示す如く、ＣＤＭＡセルラー方式における受信信号パスを検出するためのサーチウィンドウ制御方法であって、サーチウィンドウ５０１内の遅延プロファイルデータより所定の有効パスを検出するステップと、前記検出した有効パス中の最先及び最遅延又は最大の有効パスＰ１，Ｐ２又はＰｍを抽出するステップと、前記抽出した最先及び最遅延又は最大の有効パスのタイミング情報Ｔ１，Ｔ２又はＴｍに基づきサーチウィンドウの位置及び又は幅を変更（５０１→５０２）のするステップとを備えるものである。
【００１７】
本発明（４）によれば、事前に設定（初期化）されたサーチウィンドウ５０１内の特定の有効パスのタイミング情報に基づき、実際の無線伝搬環境に応じた位置／幅のサーチウィンドウ５０２を効率よく変更（更新）可能となる。
【００１８】
また本発明（５）のサーチウィンドウ制御方法は、例えば図１３，図１４に示す如く、ＣＤＭＡセルラー方式における受信信号パスを検出するためのサーチウィンドウ制御方法であって、自セルをカバーする遅延プロファイルデータに基づきサーチウィンドウを設定するステップと、前記設定し又は後述の変更したサーチウィンドウ内の遅延プロファイルデータに基づき該サーチウィンドウの位置及び又は幅を変更するステップと、前記サーチウィンドウの設定と変更の割合を移動局装置の相対速度及び又は同時処理チャネル数に応じて制御するステップとを備えるものである。
【００１９】
本発明（５）によれば、サーチウィンドウの設定（初期化）処理と、処理負荷の軽い変更（更新）処理とを混在させることにより、受信パスの捕捉・追跡処理を大幅に軽減できる。また、サーチウィンドウの設定処理と変更処理の割合を、移動局装置の相対速度及び又は同時処理チャネル数に応じて制御することにより、有用な受信パスの取りこぼしを有効に防げる。
【００２０】
【発明の実施の形態】
以下、添付図面に従って本発明に好適なる複数の実施の形態を詳細に説明する。なお、全図を通して同一符号は同一又は相当部分を示すものとする。図２は実施の形態による基地局受信部を説明する図で、図２（Ａ）に受信部のブロック図を示す。１１はアンテナ、１２はＡ／Ｄ変換部（Ａ／Ｄ）、１３は複数の通話チャネル（ｃｈ）の制御を行う通話ｃｈ制御部、１４は受信データの逆拡散・検波を行う同期検波部、１５は受信信号と既知の逆拡散コードとの間の相関演算をタイミング（チップタイミング等）をずらしながら行うことにより特定のチャネル信号の遅延プロファイルデータ（相関電力）を求めるマッチドフィルタ部（ＭＦ）、１６は遅延プロファイルデータを記憶するメモリ、１７は受信部の主制御・処理を行うマイクロプロセッサ（ＭＰＵ）、１８は遅延プロファイルデータに基づきサーチウィンドウの位置や幅を設定／更新するサーチウィンドウ決定部、１９は基地局と移動局間の相対速度を求める移動体速度演算部、２０は遅延プロファイルデータ中の所定の有効パスを検出するパス検出部である。
【００２１】
アンテナ１１からの受信信号は、不図示の増幅部で増幅後、Ａ／Ｄ変換部１２、通話ｃｈ制御部１３を介してマッチドフィルタ部１５へと送られ、ここで受信信号と特定の移動局の逆拡散コードとの間の相関をタイミングをずらしながら取ることにより、セル半径分の遅延プロファイルデータ（相関電力）を求め、これらをメモリ１６に蓄える。
【００２２】
図２（Ｂ）に遅延プロファイルデータの記憶態様を示す。ＭＦ１５で求めた各パスタイミング（例えばチップタイミング）毎の相関データをメモリアドレスの対応（順番）に記憶している。そして、ＭＰＵ１７は、必要に応じて、この遅延プロファイルデータをサーチウィンドウ決定部１８、移動体速度演算部１９、パス検出部２０に転送すると共に、各部で得られるサーチウィンドウの情報及びパス情報を、ＭＰＵ１７経由で同期検波部１４に送ることにより、受信データの逆拡散・検波処理に利用する。以下、実施の形態によるサーチウィンドウ設定／更新処理を具体的に説明する。
【００２３】
図３，図４は第１の実施の形態によるサーチウィンドウ設定処理を説明する図（１），（２）で、セル半径分の遅延プロファイルデータを複数領域に分割して各領域毎の電力を求め、所定閾値を超える領域に基づきサーチウィンドウを設定（初期化）する場合を示している。
【００２４】
図３（Ａ）に第１の実施の形態によるサーチウィンドウ設定処理のフローチャートを示す。ステップＳ１１ではセル半径分の遅延プロファイルデータに基づき所定の有効パスを検出する。図３（Ｂ）にステップＳ１１の処理のイメージを示す。パス検出部２０は、セル半径分の遅延プロファイルデータにつき所定閾値Ｐｔｈを超えるような複数のパスを検出すると共に、それらにつき時系列（局所的）にピーク検出された各ピークレベルのものを所定の有効パスとする。図３（Ｂ）の例ではＴ１〜Ｔ４の各パスタイミングに所定の有効パス▲１▼〜▲４▼が検出されている。
【００２５】
ステップＳ１２では、隣接する有効パス間の平均間隔Ｉａｖｅを求め、該間隔Ｉａｖｅで遅延プロファイルデータの全体を複数の領域に分割する。図４（Ａ）にステップＳ１２の処理のイメージを示す。有効パス▲１▼〜▲４▼の各パスタイミングをＴ１〜Ｔ４とすると、隣接する有効パス間の平均間隔Ｉａｖｅを、
Ｉａｖｅ＝｛（Ｔ２−Ｔ１）＋（Ｔ３−Ｔ２）＋（Ｔ４−Ｔ３）｝／３
により求める。図４（Ａ）の例では、この平均間隔Ｉａｖｅにより、セル半径分の遅延プロファイルデータの全体が例えば１５の領域Ａ〜Ｏに分割されている。なお、端数領域が出た場合は端数分を最後の領域Ｏに含めてよい。一般に、有効パスの平均間隔Ｉａｖｅが狭くなる（即ち、見通しが良い又は直接波が届き易い）ような電波伝播環境下では、領域分割幅Ｉａｖｅが狭くななるため、サーチウィンドウの設定分解能が高まる。また逆に、有効パスの平均間隔が広くなる（即ち、見通しが悪い又は間接波が主要になっている）ような電波伝播環境下では、領域分割幅Ｉａｖｅが広くなるため、処理量が軽減される。
【００２６】
ステップＳ１３では各領域毎の遅延プロファイルデータの電力σＡ〜σＯを求める。各領域の電力σＡ〜σＯは、該領域中の遅延プロファイルデータの面積（累積加算値）により容易に求められる。更に、各領域の電力σＡ〜σＯにつき所定閾値σｔｈを超えるもののうち、最先のものσ１と最遅延のものσ２とを抽出し、これらの領域で囲まれる部分にサーチウィンドウ５０を設定する。図４（Ｂ）にステップＳ１３の処理のイメージを示す。図の例では最先の領域Ｄと最遅延の領域Ｇとで挟まれる部分（即ち、領域Ｄ〜Ｇ）にサーチウィンドウ５０が設定されている。
【００２７】
なお、もし各遅延プロファイルデータに対する干渉電力の影響を避けたい場合は、各パスの電力より平均干渉電力を差し引いた値を遅延プロファイルデータとすれば良い。この場合の干渉電力は、セル半径分の遅延プロファイルデータの全面積（累積加算値）をパスサンプル数で割ることにより容易に求められる。このことは、以下に述べる他の実施の形態についても同様である。
【００２８】
上記本第１の実施の形態によれば、移動局３０からの電波伝搬環境の状態を、所定の有効パス▲１▼〜▲４▼と、該有効パス間の平均間隔Ｉａｖｅとにより的確に把握（特定）できる。また、これを実現するための各演算は、簡単な四則演算と、大小比較のみで行えるため、ＭＰＵ１７の処理負担が小さい。更にまた、一旦、電波伝搬環境の特徴（Ｉａｖｅ等）を捉えてしまえば、移動局３０が高速で移動しない限り、該移動局３０からの電波伝搬環境は急激には変化しないので、領域幅Ｉａｖｅの決定処理は、必ずしも毎回行なう必要は無い。即ち、上記所定の有効パス▲１▼〜▲４▼の検出や、これらの間の平均間隔Ｉａｖｅを毎回求める必要はなく、中間のウィンドウ制御の何回かは、ステップＳ１３の処理のみ、即ち、各分割領域Ａ〜Ｏにつき遅延プロファイルデータの電力σＡ〜σＯを求め、σｔｈによる閾値判定を行う簡単な処理のみで、適切なサーチウィンドウ５０を再設定（最初期化）できる。
【００２９】
図５，図６は第２の実施の形態によるサーチウィンドウ設定処理を説明する図（１），（２）で、セル半径分の遅延プロファイルデータに含まれる所定の有効パスの情報（振幅，パスタイミング）に基づきサーチウィンドウを設定（初期化）する他の場合を示している。なお、本第２の実施の形態におけるウィンドウ幅ｗは固定としており、よってウィンドウ幅ｗを決める処理負担が軽減される。
【００３０】
図５（Ａ）に第２の実施の形態によるサーチウィンドウ設定処理のフローチャートを示す。ステップＳ２１ではセル半径分の遅延プロファイルデータより上記第１の実施の形態と同様にして所定の有効パスを検出する。以下の各図では、このような所定の有効パスを太線の矢印で示すこととする。ステップＳ２２では前記検出された各有効パスにつき、最先及び最遅延の有効パスＰ１，Ｐ２、又は最大の有効パスＰｍを抽出する。そして、ステップＳ２３では、前記抽出された最先及び最遅延の有効パスＰ１，Ｐ２、又は最大の有効パスＰｍのタイミング情報Ｔ１，Ｔ２又はＴｍに基づきサーチウィンドウ５０の位置を設定（初期化）する。なお、サーチウィンドウ５０の位置の設定方法にはいくつか考えられ、以下、これらを具体的に説明する。
【００３１】
図５（Ｂ）はサーチウィンドウ５０の所定点（例えば中心点）Ｔｃを最先及び最遅延の有効パスＰ１，Ｐ２間の中点（重心）に合わせ込む場合を示している。最先及び最遅延の有効パスＰ１，Ｐ２の間隔が広い（即ち、直接波が届き難い、又は直接波と間接波の間隔が広い）ような電波伝播環境下では、最先及び最遅延の各有効パスＰ１，Ｐ２の受信信号を漏れなく捕捉するのが好ましい。そこで、サーチウィンドウ５０の所定点Ｔｃを、有効パスＰ１，Ｐ２の中点（重心）のタイミング（Ｔ１＋Ｔ２）／２に合わせ込む。なお、この方法の採用は、例えば（Ｔ２−Ｔ１）＞α（所定閾値）の判別により自動的に行える。
【００３２】
図６（Ａ）は、上記図５（Ｂ）の場合に加え、更に最先及び最遅延の各パスレベル（相関電力）Ｐ１，Ｐ２の大きさも考慮に入れた場合を示している。最先及び最遅延の有効パスＰ１，Ｐ２の間隔が狭い（即ち、直接波が届き易い、又は直接波と間接波の間隔が狭い）ような電波伝播環境下では、最先パス（直接波）Ｐ１の信号を重点的に捕捉するのが好ましい。そこで、まずは、上記と同様にサーチウィンドウ５０の所定点Ｔｃを、有効パスＰ１，Ｐ２の中点（重心）のタイミング（Ｔ１＋Ｔ２）／２に合わせ込む。次に所定点ＴｃがＴｃ’、
Ｔｃ’＝ｗ×Ｐ１／（Ｐ１＋Ｐ２）
となるような位置にサーチウィンドウ５０をずらす。この場合のサーチウィンドウ５０は、通常は、電力Ｐ１＞Ｐ２の関係より、最先パスＰ１の側を優先的に（即ち、広い範囲で）捕捉する関係にある。
【００３３】
なお、先にサーチウィンドウ５０中の所定点Ｔｃ’を、
Ｔｃ’＝ｗ×Ｐ１／（Ｐ１＋Ｐ２）
により求め、次に、該所定点Ｔｃ’を有効パスＰ１，Ｐ２間の中点（重心）のタイミング（Ｔ１＋Ｔ２）／２に合わせ込んでもよい。いずれにしても、この方法の採用は、例えば（Ｔ２−Ｔ１）≦α（所定閾値）の判別により自動的に行える。
【００３４】
図６（Ｂ）は、サーチウィンドウ５０の所定点Ｔｃを最大電力のパスＰｍに合わせ込む場合を示している。最大パスＰｍの振幅が大きい（直接波Ｐｍが届き易い）ような電波伝播環境下では、最大パスＰｍの信号を重点的に捕捉するようサーチウィンドウ５０を設定する。即ち、サーチウィンドウ５０の所定点Ｔｃを、最大パスＰｍのタイミングＴｍに合わせ込む。この方法の採用は、例えば（Ｐｍ−Ｐｉ）＞β（所定閾値）の判別により自動的に行える。但し、Ｐｉは例えば２番目に振幅の大きい他の有効パスの振幅である。
【００３５】
図７は第３の実施の形態によるサーチウィンドウ設定処理を説明する図で、セル半径分の遅延プロファイルデータに含まれる所定の有効パスの間隔情報並びに最先及び最遅延のパスの各タイミング情報に基づきサーチウィンドウの位置及び幅を設定（初期化）する場合を示している。
【００３６】
図７（Ａ）に第３の実施の形態によるサーチウィンドウ設定処理のフローチャートを示す。ステップＳ３１ではセル半径分の遅延プロファイルデータより所定の有効パスを検出する。ステップＳ３２では前記検出された各有効パス間の平均間隔Ｉａｖｅを求める。ステップＳ３３では前記検出された各有効パスのうちの最先及び最遅延の有効パスＰ１，Ｐ２を抽出する。ステップＳ３４では前記抽出した最先及び最遅延の有効パスＰ１，Ｐ２のタイミング情報Ｔ１，Ｔ２と、前記求めた有効パスの平均間隔Ｉａｖｅとに基づき，サーチウィンドウ５０の位置及び幅を設定（初期化）する。
【００３７】
図７（Ｂ）に第３の実施の形態によるサーチウィンドウ設定処理のイメージを示す。本第３の実施の形態によれば、サーチウィンドウ５０の開始位置は（Ｔ１−Ｉａｖｅ）、終了位置は（Ｔ２＋Ｉａｖｅ）、サーチウィンドウ幅ｗは（Ｔ２−Ｔ１＋２Ｉａｖｅ）となる。従って、どのような電波伝搬環境下でも適切な余裕のサーチウィンドウ５０を設定でき、パスを確実に捕捉できる。
【００３８】
図８〜図１０は第４の実施の形態によるサーチウィンドウ設定処理を説明する図（１）〜（３）で、セル半径分の遅延プロファイルデータを所定回数分累積加算（移動平均化）することにより、設定されるサーチウィンドウ５０の安定化（信頼性向上）を図った場合を示している。
【００３９】
図８（Ｂ）にサーチウィンドウ５０の設定が不安定となる状況を示す。移動通信ではフェージングの影響により有効パスが表れたり消えたりする。特に反射を繰り返すような最遅延パスＰ２がフェージングの影響を受け易い。今、最遅延パスＰ２が検出された時点のサーチウィンドウを５０とすると、次の時点では新たに最遅延パスＰ２’が検出されることにより、次の時点のサーチウィンドウは５０’に移動してしまい、こうして、必ずしも信頼性の高い有効パスを捕らえているとは言えない状況になる。そこで、本第４の実施の形態では、セル半径分の遅延プロファイルデータを累積加算（移動平均化）することにより、常に信頼性の高い有効パスを捕らえられるようなサーチウィンドウを設定する。
【００４０】
図８（Ａ）に第４の実施の形態によるサーチウィンドウ設定処理のフローチャートを示す。ステップＳ４１ではセル半径分の遅延プロファイルデータにつき所定回数分の移動平均を求める。なお、単に所定回数分の累積加算をしてもよいが、この場合はそれ相当の電力閾値を設定すればよい。いずれにしても、この累積加算処理により、フェージングの影響によりその振幅が不安定となるようなパスタイミングのパスレベルは相対的に小さくなリ、逆に振幅が安定であるようなパスタイミングのパスレベルは相対的に大きくなる。図９（Ａ）にこうして求めた移動平均プロファイルデータのイメージを示す。
【００４１】
ステップＳ４２では前記求めた移動平均プロファイルデータより所定の有効パスを検出する。即ち、パスタイミング毎に所定閾値ρｔｈを超えるようなパスを検出すると共に、その時系列につきピーク検出されたような各パスを所定の有効パスとする。ステップＳ４３では前記検出された各有効パスのうちの最先及び最遅延又は最大の有効パスρ１，ρ２又はρｍを抽出する。そして、ステップＳ４４では前記抽出した最先及び最遅延又は最大の有効パスρ１，ρ２又はρｍの各タイミング情報Ｔ１，Ｔ２又はＴｍに基づき、サーチウィンドウ５０を設定（初期化）する。このステップＳ４４の設定処理には、上記図５（Ｂ）及び図６（Ａ），（Ｂ）で述べた第２の実施の形態と同様の方法を適用できる。また、図示しないが、上記図７の第３の実施の形態で述べたサーチウィンドウ設定処理に対して本第４の実施の形態による移動平均プロファイルデータを適用してもよい。
【００４２】
ところで、上記セル半径分の移動平均プロファイルデータを求める処理は必ずしも軽い処理ではない。そこで、この処理を軽減するための工夫を以下に述べる。図９（Ｂ）では、ある所定の有効パス（例えば発生の安定な最大パスＰｍ）が検出されるタイミングＴｍを基準として、その前後に比較的狭い幅のウィンドウ６０１，６０２を図示の如く交互に開き、各ウィンドウ６０１，６０２内に含まれる遅延プロファイルデータの移動平均（累積加算）を夫々に求める。そして、各領域の移動平均プロファイルデータを合成することで、トータルで所望範囲にわたる移動平均プロファイルデータが効率よく得られる。
【００４３】
図１０に移動平均プロファイルデータを取得する他の方法を示す。遅延プロファイルデータを取得する周期が長い場合、又は移動局３０が比較的高速で移動している場合は、短い時間内で十分な移動平均プロファイルデータを得ることが困難となる。この場合は、遅延プロファイルデータの重み付き加算を行う。即ち、図示の如く、高い閾値Ｐｔｈ４を超えるようなパスレベルが検出されたときは、該パスが安定な有効パスである可能性が高いので、該検出されたパスレベルに大きなｗｅｉｇｈｔ値（例えば４）を掛けて累積加算する。一方、低い閾値Ｐｔｈ１を超え、かつ次に高い閾値Ｐｔｈ２を超えないようなパスレベルが検出されたときは、該パスが安定な有効パスである可能性が低いので、該検出されたパスレベルには小さなｗｅｉｇｈｔ値（例えば１）を掛けて累積加算する。こうして、所定回数分の移動平均（累積加算）を求める。こうすれば、比較的少ない回数の累積加算であっても、信頼性の高いパスと信頼性の低いパスとを峻別できるようになる。従って、高い信頼性の移動平均プロファイルデータが効率よく得られる。
【００４４】
図１１，図１２は実施の形態によるサーチウィンドウ更新処理を説明する図（１），（２）で、今回のサーチウィンドウ内に含まれる所定の有効パスの情報に基づき次回のサーチウィンドウの位置を更新（変更）する場合を示している。このサーチウィンドウ更新処理は、今回のサーチウィンドウ内に含まれる遅延プロファイルデータのみを処理すればよいため、処理負荷が大幅に軽減されると共に、上記第１〜第４の実施の形態により設定（初期化）されたサーチウィンドウの位置（及び必要なら幅）を更新（変更）するのに適している。
【００４５】
図１１（Ａ）に実施の形態によるサーチウィンドウ更新処理のフローチャートを示す。ステップＳ５１では今回のサーチウィンドウ内の遅延プロファイルデータより所定の有効パスを検出する。即ち、今回のサーチウィンドウ内の遅延プロファイルデータにつき所定閾値Ｐｔｈを超えるような複数のパスを検出すると共に、それらにつき時系列（局所的）にピーク検出された各ピークレベルのものを所定の有効パスとする。ステップＳ５２では前記検出された各所定の有効パスにつき、今回のサーチウィンドウ内で最先及び最遅延となるような有効パスＰ１，Ｐ２又は最大となるような有効パスＰｍを抽出する。そして、ステップＳ５３では、前記抽出された最先及び最遅延の有効パスＰ１，Ｐ２又は最大の有効パスＰｍの各タイミング情報Ｔ１，Ｔ２又はＴｍに基づき次回のサーチウィンドウを更新（変更）する。なお、ステップＳ５３のサーチウィンドウの更新（変更）方法にはいくつか考えられ、以下、これらを具体的に説明する。
【００４６】
図１１（Ｂ）はサーチウィンドウの所定点Ｔｃを今回検出された最先及び最遅延の有効パスＰ１，Ｐ２の中点（重心）のタイミングに合わせ込む場合を示している。今回のサーチウィンドウ５０１内で検出された最先及び最遅延の有効パスＰ１，Ｐ２のパスタイミングをＴ１，Ｔ２（但し、サーチウィンドウ５０１内の相対タイミング）とすると、次回のサーチウィンドウ５０２の所定点Ｔｃを、有効パスＰ１，Ｐ２間の中点（重心）のタイミング（Ｔ１＋Ｔ２）／２に合わせ込む。
【００４７】
なお、この合わせ込みは、毎回検出される新たな中点（重心）のタイミングに向けて、そのずれ分を一挙に変更してもよいが、こうするとサーチウィンドウの動きが大きくなって不安定となる場合があり得る。そこで、好ましくは、この合わせ込みは、ずれの検出された方向に数チップ（又は数オーバサンプル）分を限度として行う。又は求めたＴｃの移動量に所定数（＜１）を掛けることで、実際の移動量を小さくし、徐々に近づけるようにしてもよい。従って、簡単な処理により、所定の有効パスＰ１，Ｐ２の移動に安定に追従できる。
【００４８】
また、図示しないが、上記図６（Ａ）の場合と同様にして、次回のサーチウィンドウ５０２の所定点Ｔｃ’を、
Ｔｃ’＝ｗ×Ｐ１／（Ｐ１＋Ｐ２）
となる位置に変更してもよい。
【００４９】
図１２（Ａ）はサーチウィンドウの所定点Ｔｃを今回検出された最大の有効パスＰｍから所定タイミングΔＴだけオフセットした（遅れた）位置に合わせ込む場合を示している。従って、次回のサーチウィンドウ５０２は今回検出された最大パスＰｍの側に追従する。この場合も、そのずれ分を一挙に変更してもよいが、好ましくは、数チップ（又は数オーバサンプル）分を限度として移動させてもよい。
【００５０】
図１２（Ｂ）は今回のサーチウィンドウ５０１内で検出された最先及び最遅延の各有効パスＰ１，Ｐ２の前後を所定幅Ｉａｖｅの余裕を持って囲めるように次回のサーチウィンドウ５０２の位置及び幅に合わせ込む場合を示している。
この所定幅Ｉａｖｅは、今回のサーチウィンドウ５０１内に含まれる各有効パス間の平均間隔として求められる。
【００５１】
なお、図示しないが、フェージングによる影響を極力抑えるために、それまでに検出されていた各有効パス（特にフェージングの影響を受け易い最遅延パスＰ２）の大きさや、最先パスＰ１との間の距離等を記憶しておくと共に、もし予定される位置付近から最遅延パスＰ２が消えた場合には、所定時間の間、上記図１１（Ｂ）又は図１２（Ｂ）に示したようなサーチウィンドウの追従制御を行わないようにしてもよい。
【００５２】
図１３，図１４は実施の形態によるサーチウィンドウ制御処理を説明する図（１），（２）で、上記サーチウィンドウの設定（初期化）制御と、更新（変更）制御とを適切な頻度で行うことにより、応答の速い、かつ安定なパス検出を実現する場合を示している。
【００５３】
図１３（Ａ）に実施の形態によるサーチウィンドウ制御処理のフローチャートを示す。このサーチウィンドウ制御処理は、同時通話中の移動局毎に巡回的に行われ、今、どの移動局が制御対象になっているかは、移動局のインデクス情報（Ｉ）により識別されるものとする。ある移動局のサーチウィンドウを制御するタイミングになると、この処理に入力する。
【００５４】
ステップＳ６１ではサーチウィンドウ５０の設定（初期化）タイミングを決めるカウンタＣＴＲ（Ｉ）＝０か否かを判別する。ＣＴＲ（Ｉ）＝０の場合はサーチウィンドウ５０の設定（初期化）タイミングであるので、ステップＳ６２でセル半径分の遅延プロファイルデータに基づきサーチウィンドウ５０の設定（初期化）処理を行う。また、ＣＴＲ（Ｉ）≠０の場合はサーチウィンドウ５０の更新（変更）タイミングであるので、ステップＳ６３で今回のサーチウィンドウ５０１内に含まれる遅延プロファイルデータに基づき次回のサーチウィンドウ５０２の更新（変更）処理を行う。ステップＳ６４ではカウンタＣＴＲ（Ｉ）のカウント値に＋１する。
【００５５】
ステップＳ６５では、移動局（Ｉ）の基地局に対する相対速度ｖｒ（Ｉ）を推定する。移動局の相対速度は、例えば、遅延プロファイルデータ中に含まれる最先、最遅延又は最大の有効パスの単位時間（即ち、サーチウィンドウの更新周期）当りの動き量を監視することにより推定できる。好ましくは、直接波の届き易い電波伝播環境下では、最大パスＰｍのタイミングＴｍの時間変化により移動局の相対速度ｖｒを割り出す。また、直接波の届きにくい電波伝播環境下では、最先パス及び最遅延パスの重心タイミング（Ｔ１＋Ｔ２）／２の時間変化により移動局の相対速度ｖｒを割り出す。
【００５６】
ステップＳ６６では通話チャネル制御部１３より基地局１０が現在接続サービスを行っている同時通話チャネル数を抽出する。ステップＳ６７では、後述のテーブルを参照して、前記求めた移動局（Ｉ）の相対速度ｖｒ（Ｉ）及び抽出した同時処理チャネル数に対応するカウンタＣＴＲ（Ｉ）のカウントリミット値Ｋを抽出する。
【００５７】
図１３（Ｂ）にテーブルの記憶内容をグラフ化して示す。横軸は移動局の相対速度ｖｒ、縦軸はカウントリミット値Ｋである。図において、▲１▼は同時処理チャネル数が少ない（ＭＰＵ１７の処理負担が少ない）場合の特性を示しており、移動局の相対速度ｖｒが小さい場合は例えば７回に１回の割合でサーチウィンドウ５０の設定（初期化）を行い、また移動局の相対速度ｖｒが大きい場合は、この速い動きに対しても有効パスを漏れなく検出（即ち、サーチウィンドウを追従）できるように、例えば４回に１回の割合でサーチウィンドウ５０の設定（初期化）を行うことを示している。また、同時処理チャネル数が中から大へと増すと、ＭＰＵ１７の処理負担が増すと共に、特定の移動局の制御に割ける時間が少なくなる。即ち、特定の移動局を制御できる時間間隔（周期）が必然的に長くなってしまう。そこで、同時処理チャネル数の増大に伴い制御が遅れるのをカバーするために、特性▲２▼，▲３▼を設け、これらによってサーチウィンドウ５０を設定（初期化）する割合を更に多くしている。
【００５８】
図１３（Ａ）に戻り、ステップＳ６８ではＣＴＲ（Ｉ）≧Ｋか否かを判別し、ＣＴＲ（Ｉ）≧Ｋの場合はステップＳ６９でＣＴＲ（Ｉ）＝０（次回は設定モード）に初期化し、この処理を抜ける。また、ＣＴＲ（Ｉ）≧Ｋでない場合は上記ステップＳ６９の処理をスキップし、この処理を抜ける。
【００５９】
図１４にサーチウィンドウ制御処理のタイミングチャートを示す。図１４（Ａ）は同時処理チャネル数が少なく、かつ移動局の相対速度が遅い場合を示し、例えば４回に１回の割合でサーチウィンドウを設定（初期化）する状態を示している。図１４（Ｂ）は同時処理チャネル数が多く、かつ移動局の相対速度が遅い場合を示している。相対速度が遅くても、同時処理チャネル数が多いと、ＭＰＵ１７の処理負担が増すため、ある移動局を繰り返し制御できる周期Ｔが増加してしまう。そこで、この場合は例えば３回に１回の割合でサーチウィンドウを設定（初期化）するようにしている。
【００６０】
図１４（Ｃ）は同時処理チャネル数が多く、かつ移動局の相対速度が速い場合を示している。移動局の相対速度が速くなると、これに追従（即ち、サーチウィンドウ５０から有効パスが外れないように）するため、例えば２回に１回の割合でサーチウィンドウを設定（初期化）するようにする。図１４（Ｄ）は同時処理チャネル数が少なく、かつ移動局の相対速度が速い場合を示している。同時処理チャネル数が少なくなると、ＭＰＵ１７の処理負担も軽減され、これに伴い制御周期Ｔも短くなっている。
【００６１】
なお、上記図１３（Ａ）のサーチウィンドウ制御処理では、サーチウィンドウの設定制御と、更新制御とを移動局の相対速度及び複数移動局の同時処理チャネル数に基づき制御する場合を述べたが、これに限らない。例えば移動局の相対速度のみ、又は移動局の同時処理チャネル数のみによって制御してもよいことは明らかである。
【００６２】
また、上記本発明に好適なる複数の実施の形態を述べたが、本発明思想を逸脱しない範囲内で各部の構成、制御、処理及びこれらの組み合わせの様々な変更が行えることは言うまでも無い。
【００６３】
（付記１）　ＣＤＭＡセルラー方式における受信信号パスを検出するためのサーチウィンドウ制御方法であって、自セルをカバーする遅延プロファイルデータより所定の有効パスを検出するステップと、前記検出した有効パス間の平均間隔を求め、該平均間隔で前記遅延プロファイルデータの全体を複数領域に分割するステップと、前記分割した各領域につき遅延プロファイルデータの電力を求め、該電力が所定閾値を超えるもののうち最先及び最遅延の各領域を抽出するステップと、前記抽出した最先及び最遅延の各領域で囲まれる部分にサーチウィンドウを設定するステップとを備えることを特徴とするサーチウィンドウ制御方法。
【００６４】
（付記２）　ＣＤＭＡセルラー方式における受信信号パスを検出するためのサーチウィンドウ制御方法であって、自セルをカバーする遅延プロファイルデータより所定の有効パスを検出するステップと、前記検出した有効パス中の最先及び最遅延又は最大の有効パスを抽出するステップと、前記抽出した最先及び最遅延又は最大の有効パスのタイミング情報に基づきサーチウィンドウを設定するステップとを備えることを特徴とするサーチウィンドウ制御方法。
【００６５】
（付記３）　前記サーチウィンドウを設定するステップは、固定幅のサーチウィンドウの所定点を最先及び最遅延の有効パスの中点位置に合わせ込むことを特徴とする付記２に記載のサーチウィンドウ制御方法。従って、最先及び最遅延の各有効パスを同程度の重み付けで捕捉でき、直接波によるパスと間接波によるパスとの間隔が広いような電波伝搬環境下においても、最先及び最遅延の各有効パスを確実に捕捉できる。
【００６６】
（付記４）　サーチウィンドウの幅をｗ、最先及び最遅延の有効パスの振幅をＰ１，Ｐ２とする場合に、サーチウィンドウの所定点Ｔｃを、
Ｔｃ＝ｗ×Ｐ１／（Ｐ１＋Ｐ２）
とすることを特徴とする付記３に記載のサーチウィンドウ制御方法。従って、一般には最先及び最遅延の各有効パスの振幅Ｐ１，Ｐ２につき、Ｐ１＞Ｐ２の関係があると共に、この付記４によれば、サーチウィンドウの先端から見た所定点Ｔｃを、Ｔｃ＝ｗ×Ｐ１／（Ｐ１＋Ｐ２）とすることにより、該サーチウィンドウは最先の有効パスの周辺をより大きな割合で囲むようになる。
【００６７】
（付記５）　前記サーチウィンドウを設定するステップは、固定幅のサーチウィンドウの所定点を最大の有効パスの位置に合わせ込むことを特徴とする付記２に記載のサーチウィンドウ制御方法。従って、この場合のサーチウィンドウは最大の有効パス（直接波である可能性が高い）の周辺をより大きな割合で囲むようになる。
【００６８】
（付記６）　前記検出した所定の有効パス間の平均間隔を求めるステップを更に備え、前記サーチウィンドウを設定するステップは、前記抽出した最先及び最遅延の有効パスの前後に前記求めた平均間隔を加えたものをサーチウィンドウとすることを特徴とする付記２に記載のサーチウィンドウ制御方法。
【００６９】
（付記７）　自セルをカバーする遅延プロファイルデータの所定回数分の移動平均を求めて自セルをカバーする遅延プロファイルデータとするステップを更に備えることを特徴とする付記１又は２に記載のサーチウィンドウ制御方法。付記７によれば、常に検出されるような安定な有効パス（例えば直接波のパス）の移動平均（又は累積加算値）は相対的に大きく表れ、また検出されたり消えたりするような不安定な有効パス（例えば間接波のパス）の移動平均（又は累積加算値）は相対的に小さく表れるため、より安定な有効パスを確実に捕捉可能となる。
【００７０】
（付記８）　ＣＤＭＡセルラー方式における受信信号パスを検出するためのサーチウィンドウ制御方法であって、サーチウィンドウ内の遅延プロファイルデータより所定の有効パスを検出するステップと、前記検出した有効パス中の最先及び最遅延又は最大の有効パスを抽出するステップと、前記抽出した最先及び最遅延又は最大の有効パスのタイミング情報に基づきサーチウィンドウの位置及び又は幅を変更するステップとを備えることを特徴とするサーチウィンドウ制御方法。
【００７１】
（付記９）　ＣＤＭＡセルラー方式における受信信号パスを検出するためのサーチウィンドウ制御方法であって、自セルをカバーする遅延プロファイルデータに基づきサーチウィンドウを設定するステップと、前記設定し又は後述の変更したサーチウィンドウ内の遅延プロファイルデータに基づき該サーチウィンドウの位置及び又は幅を変更するステップと、前記サーチウィンドウの設定と変更の割合を移動局装置の相対速度及び又は同時処理チャネル数に応じて制御するステップとを備えることを特徴とするサーチウィンドウ制御方法。
【００７２】
（付記１０）　ＣＤＭＡセルラー方式の下で複数の移動局装置を複数チャネルに収容可能な基地局装置において、自セルをカバーする遅延プロファイルデータに基づき移動局装置対応のサーチウィンドウを設定する設定手段と、前記設定し又は後述の変更したサーチウィンドウ内の遅延プロファイルデータに基づき該サーチウィンドウの位置及び又は幅を変更する変更手段と、移動局装置の相対速度を検出する検出手段と、前記サーチウィンドウの設定と変更の割合を移動局装置の相対速度及び又は同時処理チャネル数に応じて制御する制御手段とを備えることを特徴とする基地局装置。
【００７３】
【発明の効果】
以上述べた如く本発明によれば、実際の無線伝搬環境に応じた位置／幅のサーチウィンドウを効率よく設定／更新可能であるため、ＣＤＭＡセルラー方式における受信信号パスを効率よく確実に捕捉できる。
【図面の簡単な説明】
【図１】本発明の原理を説明する図である。
【図２】実施の形態による基地局受信部を説明する図である。
【図３】第１の実施の形態によるサーチウィンドウ設定処理を説明する図（１）である。
【図４】第１の実施の形態によるサーチウィンドウ設定処理を説明する図（２）である。
【図５】第２の実施の形態によるサーチウィンドウ設定処理を説明する図（１）である。
【図６】第２の実施の形態によるサーチウィンドウ設定処理を説明する図（２）である。
【図７】第３の実施の形態によるサーチウィンドウ設定処理を説明する図である。
【図８】第４の実施の形態によるサーチウィンドウ設定処理を説明する図（１）である。
【図９】第４の実施の形態によるサーチウィンドウ設定処理を説明する図（２）である。
【図１０】第４の実施の形態によるサーチウィンドウ設定処理を説明する図（３）である。
【図１１】実施の形態によるサーチウィンドウ更新処理を説明する図（１）である。
【図１２】実施の形態によるサーチウィンドウ更新処理を説明する図（２）である。
【図１３】実施の形態によるサーチウィンドウ制御処理を説明する図（１）である。
【図１４】実施の形態によるサーチウィンドウ制御処理を説明する図（２）である。
【図１５】従来技術を説明する図である。
【符号の説明】
１０　基地局（ＢＴＳ）
１１　アンテナ
１２　Ａ／Ｄ変換部（Ａ／Ｄ）
１３　通話ｃｈ制御部
１４　同期検波部
１５　マッチドフィルタ部（ＭＦ）
１６　メモリ
１７　マイクロプロセッサ（ＭＰＵ）
１８　サーチウィンドウ決定部
１９　移動局速度演算部
２０　パス検出部
３０　移動局（ＭＳ）
【図１】
2004080298.tif 000003
【図２】
2004080298.tif 000004
【図３】
2004080298.tif 000005
【図４】
2004080298.tif 000006
【図５】
2004080298.tif 000007
【図６】
2004080298.tif 000008
【図７】
2004080298.tif 000009
【図８】
2004080298.tif 000010
【図９】
2004080298.tif 000011
【図１０】
2004080298.tif 000012
【図１１】
2004080298.tif 000013
【図１２】
2004080298.tif 000014
【図１３】
2004080298.tif 000015
【図１４】
2004080298.tif 000016
【図１５】
2004080298.tif 000017